【手続補正書】
【提出日】平成29年9月19日(2017.9.19)
【手続補正１】
【補正対象書類名】特許請求の範囲
【補正対象項目名】全文
【補正方法】変更
【補正の内容】
【特許請求の範囲】
【請求項１】
各々が少なくとも１つの圧力センサから構成され、前記少なくとも１つの圧力センサにおいて検知された物品の重さに応じたアナログ信号を出力する複数のセンサユニットと、
前記複数のセンサユニットの各々から出力されるアナログ信号を、各センサユニットが設置された領域における物品の数が所定数以下であるか否かを表すデジタル信号に変換するセンサ出力部と、
前記複数のセンサユニットをグループ分けした１つ以上のグループを設定し、前記グループ毎に前記センサユニットのＩＤを設定した設定情報を生成する組合せ設定部と、
前記設定情報に基づいて、前記センサユニットのＩＤに対応する前記デジタル信号を、前記グループ毎に統合する出力統合部と、
前記統合されたデジタル信号に基づいて、各グループにおける物品の欠品状態を管理する管理部と、
を具備する欠品管理装置。
【請求項２】
前記所定数に対応する閾値を設定する閾値設定部、を更に具備し、
前記センサ出力部は、前記複数のセンサユニットのアナログ信号と前記閾値とを比較することにより、各センサユニットが設置された領域における物品の数が前記所定数以下であるか否かを判定する、
請求項１に記載の欠品管理装置。
【請求項３】
前記閾値設定部は、前記閾値をセンサユニット毎に設定することを特徴とする、
請求項２に記載の欠品管理装置。
【請求項４】
前記組合せ設定部は、前記複数のセンサユニットのうち、同一品目の物品が置かれる領域に設置されたセンサユニットを１つのグループに設定する、
請求項１に記載の欠品管理装置。
【請求項５】
各々が少なくとも１つの圧力センサから構成され、前記少なくとも１つの圧力センサにおいて検知された物品の重さに応じたアナログ信号を出力する複数のセンサユニットと、
前記複数のセンサユニットの各々から出力されるアナログ信号を、各センサユニットが設置された領域における物品の数が所定数以下であるか否かを表すデジタル信号に変換するセンサ出力部と、
前記複数のセンサユニットをグループ分けした１つ以上のグループを設定するとともに、前記複数のセンサユニットのうち、同一品目の物品が置かれる領域を分割して得られる複数のサブ領域の各々に設置されたセンサユニットを１つのグループに設定する組合せ設定部と、
前記デジタル信号を、前記グループ毎に統合する出力統合部と、
前記統合されたデジタル信号に基づいて、各グループにおける物品の欠品状態を管理する管理部と、
を具備し、
前記センサユニットを構成する圧力センサの出力レベルは、前記複数のサブ領域毎に異なる、
欠品管理装置。
【請求項６】
前記管理部は、前記複数のグループの各々における物品の欠品状態が所定の条件を満たす場合、当該グループに対応する物品の欠品に関するアラート信号を外部装置に送信する、
請求項１から５の何れか一項に記載の欠品管理装置。
【請求項７】
前記統合された各グループのデジタル信号は、前記グループ毎の物品の欠品状態又は在品状態の何れかを表すことを特徴とする、
請求項１から６の何れか一項に記載の欠品管理装置。
【請求項８】
各々が少なくとも１つの圧力センサから構成される複数のセンサユニットの各々から出力される、前記少なくとも１つの圧力センサにおいて検知された物品の重さに応じたアナログ信号を、各センサユニットが設置された領域における物品の数が所定数以下であるか否かを表すデジタル信号に変換し、
前記複数のセンサユニットをグループ分けした１つ以上グループを設定し、前記グループ毎に前記センサユニットのＩＤを設定した設定情報を生成し、
前記設定情報に基づいて、前記センサユニットのＩＤに対応する前記デジタル信号を、前記グループ毎に統合し、
前記統合されたデジタル信号に基づいて、各グループにおける物品の欠品状態を管理する、
欠品管理方法。
【請求項９】
各々が少なくとも１つの圧力センサから構成される複数のセンサユニットの各々から出力される、前記少なくとも１つの圧力センサにおいて検知された物品の重さに応じたアナログ信号を、各センサユニットが設置された領域における物品の数が所定数以下であるか否かを表すデジタル信号に変換し、
前記複数のセンサユニットをグループ分けした１つ以上のグループを設定するとともに、前記複数のセンサユニットのうち、同一品目の物品が置かれる領域を分割して得られる複数のサブ領域の各々に設置され、圧力センサの出力レベルが前記複数のサブ領域毎に異なるセンサユニットを１つのグループに設定し、
前記デジタル信号を、前記グループ毎に統合し、
前記統合されたデジタル信号に基づいて、各グループにおける物品の欠品状態を管理する、
欠品管理方法。
【手続補正２】
【補正対象書類名】明細書
【補正対象項目名】０００６
【補正方法】変更
【補正の内容】
【０００６】
本開示の一態様に係る欠品管理装置は、各々が少なくとも１つの圧力センサから構成され、前記少なくとも１つの圧力センサにおいて検知された物品の重さに応じたアナログ信号を出力する複数のセンサユニットと、前記複数のセンサユニットの各々から出力されるアナログ信号を、各センサユニットが設置された領域における物品の数が所定数以下であるか否かを表すデジタル信号に変換するセンサ出力部と、前記複数のセンサユニットをグループ分けした１つ以上のグループを設定し、前記グループ毎に前記センサユニットのＩＤを設定した設定情報を生成する組合せ設定部と、前記設定情報に基づいて、前記センサユニットのＩＤに対応する前記デジタル信号を、前記グループ毎に統合する出力統合部と、前記統合されたデジタル信号に基づいて、各グループにおける物品の欠品状態を管理する管理部と、を具備する構成を採る。
また、本開示の一態様に係る欠品管理装置は、各々が少なくとも１つの圧力センサから構成され、前記少なくとも１つの圧力センサにおいて検知された物品の重さに応じたアナログ信号を出力する複数のセンサユニットと、前記複数のセンサユニットの各々から出力されるアナログ信号を、各センサユニットが設置された領域における物品の数が所定数以下であるか否かを表すデジタル信号に変換するセンサ出力部と、前記複数のセンサユニットをグループ分けした１つ以上のグループを設定するとともに、前記複数のセンサユニットのうち、同一品目の物品が置かれる領域を分割して得られる複数のサブ領域の各々に設置されたセンサユニットを１つのグループに設定する組合せ設定部と、前記デジタル信号を、前記グループ毎に統合する出力統合部と、前記統合されたデジタル信号に基づいて、各グループにおける物品の欠品状態を管理する管理部と、を具備し、前記センサユニットを構成する圧力センサの出力レベルは、前記複数のサブ領域毎に異なる構成を採る。
【手続補正３】
【補正対象書類名】明細書
【補正対象項目名】０００７
【補正方法】変更
【補正の内容】
【０００７】
本開示の一態様に係る欠品管理方法は、各々が少なくとも１つの圧力センサから構成される複数のセンサユニットの各々から出力される、前記少なくとも１つの圧力センサにおいて検知された物品の重さに応じたアナログ信号を、各センサユニットが設置された領域における物品の数が所定数以下であるか否かを表すデジタル信号に変換し、前記複数のセンサユニットをグループ分けした１つ以上グループを設定し、前記グループ毎に前記センサユニットのＩＤを設定した設定情報を生成し、前記設定情報に基づいて、前記センサユニットのＩＤに対応する前記デジタル信号を、前記グループ毎に統合し、前記統合されたデジタル信号に基づいて、各グループにおける物品の欠品状態を管理する。
本開示の一態様に係る欠品管理方法は、各々が少なくとも１つの圧力センサから構成される複数のセンサユニットの各々から出力される、前記少なくとも１つの圧力センサにおいて検知された物品の重さに応じたアナログ信号を、各センサユニットが設置された領域における物品の数が所定数以下であるか否かを表すデジタル信号に変換し、前記複数のセンサユニットをグループ分けした１つ以上のグループを設定するとともに、前記複数のセンサユニットのうち、同一品目の物品が置かれる領域を分割して得られる複数のサブ領域の各々に設置され、圧力センサの出力レベルが前記複数のサブ領域毎に異なるセンサユニットを１つのグループに設定し、前記デジタル信号を、前記グループ毎に統合し、前記統合されたデジタル信号に基づいて、各グループにおける物品の欠品状態を管理する。
【手続補正４】
【補正対象書類名】明細書
【補正対象項目名】０１４７
【補正方法】変更
【補正の内容】
【０１４７】
この場合、出力統合部１０５は、センサユニットＩＤ＝１〜１０の各センサユニット１０１の各々に対応するデジタル信号（欠品‘０’又は在品‘１’）を欠品管理部１０６に出力する。